(57)【要約】【課題】シール装着時の位置決めを容易に行うことができ、しかも両面テープ等で固定することなく簡易に装着作業を行うことができるトナーシールを提供する。【解決手段】トナーが収容されているトナー収容部３０に開設されているトナー供給口の側方に配設された現像ロール５０と回転自在に圧接する供給ロール４０の軸心４１端部を全周に亙って摺動自在に密接する軸心シール部１１と、感光ドラム６０に供給するため供給ロール４０からのトナーを担持している現像ロール５０の端部周面の一部と摺動自在に密接する本体シール部１２とを備え、両シール部（１１，１２）をゴム状弾性体により一体成形した。【選択図】図１
2008040061.tif 000002
【特許請求の範囲】
【請求項１】
トナーが収容されているトナー収容部に開設されているトナー供給口の側方に配設された現像ロールと回転自在に圧接する供給ロールの軸心端部を全周に亙って摺動自在に密封する軸心シール部と、感光ドラムに供給するため前記供給ロールからのトナーを担持している前記現像ロールの端部周面の一部を摺動自在に密封する本体シール部とを備え、前記両シール部がゴム状弾性体で一体成形されていることを特徴とするトナーシール。
【請求項２】
請求項１に記載のトナーシールにおいて、
前記シール部にシールリップが形成されていることを特徴とするトナーシール。
【請求項３】
請求項２に記載のトナーシールにおいて、
前記本体シール部のシールリップがスパイラル状に形成されていることを特徴とするトナーシール。
【発明の詳細な説明】
【技術分野】
【０００１】
本発明は、プリンター、複写機及びファクシミリ等に使用されるトナーを密封するために用いられるトナーシールに関する。
【背景技術】
【０００２】
プリンター等には印字、画像を形成するための着色粉末（トナー）が収容されているカートリッジ（はめ込み式の交換部品）が装置本体に着脱自在に装着され、このカートリッジには、トナーの漏れ防止のため図５に示すようなトナーシールが装着されていることが知られており、このトナーシールは次のように構成されている（下記特許文献１を参照）。
【０００３】
このトナーシール１０１は、トナーが収容されているトナー収容部１０２に開設されているトナー供給口の側方に配設された現像ロール１０３と回転自在に圧接する供給ロール１０４の軸心１０５から漏洩するトナーをシールするものであって、供給ロール１０４の軸心１０５の軸方向両端部を全周に亙って摺動自在に密接するスポンジ製の軸心シール部１０６と、感光ドラム１０７に供給するため供給ロール１０４からのトナーを担持している現像ロール１０３の両端部周面から漏洩するトナーをシールするものであって、現像ロール１０３の軸方向両端部の周面の一部と摺動自在に密接するフェルト製の本体シール部１０８とから構成されている。
【０００４】
しかしながら、本体シール部１０８はフェルトで成形されていて現像ロール１０３に摺動自在に密接させるようにカートリッジ本体部１０９に接着剤、両面テープ等で固定するが、軟らかいスポンジ製の軸心シール部１０６を基準として位置決めしているために位置決めが難しい。また、フェルト製の本体シール部１０８とスポンジ製の軸心シール部１０６とを別々に装着させるので部品点数が多く、しかも両面テープ等で固定するため作業性が悪いとの不具合点も有していた。更に、使用時に本体シール部１０８はフェルトであるので位置ズレが生じやすく、そのために本体シール部１０８よりトナー漏れが生じるとの不具合も懸念された。
【０００５】
【特許文献１】特開２００２−２８７４８８公報
【発明の開示】
【発明が解決しようとする課題】
【０００６】
本発明は、上記問題点を解決するためになされたものであって、その目的とするところは、シール装着時の位置決めを容易に行うことができ、しかも両面テープ等で固定することなく簡易に装着作業を行うことができるトナーシールを提供することである。
【課題を解決するための手段】
【０００７】
上記目的を達成するため、本発明の請求項１に係るトナーシールは、トナーが収容されているトナー収容部に開設されているトナー供給口の側方に配設された現像ロールと回転自在に圧接する供給ロールの軸心端部を全周に亙って摺動自在に密封する軸心シール部と、感光ドラムに供給するため前記供給ロールからのトナーを担持している前記現像ロールの端部周面の一部を摺動自在に密封する本体シール部とを備え、前記両シール部がゴム状弾性体で一体成形されていることを特徴とするものである。
【０００８】
また、本発明の請求項２に係るトナーシールは、請求項１に記載のトナーシールにおいて、前記シール部にシールリップが形成されていることを特徴とするものである。
【０００９】
また、本発明の請求項３に係るトナーシールは、請求項２に記載のトナーシールにおいて、前記本体シール部のシールリップがスパイラル状に形成されていることを特徴とするものである。
【発明の効果】
【００１０】
本発明は、以下の効果を奏する。
【００１１】
上記構成を備えた本発明の請求項１に記載のトナーシールは、軸心シール部と本体シール部が一体成形されているので部品点数が減少し、しかもゴム状弾性体で成形されているので両面テープ等で固定する必要もなく嵌合により装着させることができるので、装着作業性を改善することができる。
【００１２】
また、一体成形されているので、トナーシールを装着するときの位置決めを供給ロールの軸心を基準に容易に行うことができ、位置決めの安定性が向上し、品質のバラツキを低減することができる。更に、ゴム状弾性体で成形されているので、使用により位置ズレが生じ難く経時変化によるトナー漏れの発生を防止することができる。
【００１３】
また、本発明の請求項２に記載のトナーシールのように、シール部にシールリップが形成されているとシール性をより向上することができ、この場合に、請求項３に記載のように本体シール部のシールリップをスパイラル状に形成すると、漏れ出ようとするトナーをトナー収容部に回収し易くすることができる。
【発明を実施するための最良の形態】
【００１４】
以下に図面を参照して、この発明の好適な実施の形態を例示して説明する。図１は、本発明に係るトナーシールが使用されているカートリッジの概略説明図であり、図２は、本発明に係るトナーシールの平面図、図３は図２におけるＡ−Ａ方向の要部断面図である。
【００１５】
本発明に係るトナーシール１０は、プリンター、複写機及びファクシミリ等の装置本体に着脱自在に装着されるカートリッジ２０に使用されるものであって、カートリッジ２０は、トナーシール１０の他に、トナー収容部３０、供給ロール４０、現像ロール５０等を備えている。
【００１６】
トナー収容部３０は、内部に現像剤としてトナーが収容されていて、トナーは、中心部に配設されているルーバーにより撹拌され、図示しないトナー供給口より放出される。
【００１７】
トナー供給口の側方には現像ロール５０が配設されていて、この現像ロール５０にトナー供給口より放出されたトナーを供給する供給ロール４０が現像ロール５０と回転自在に圧接する状態でカートリッジ本体部２１内に配設されている。また、この現像ロール５０が担持しているトナーの供給を受ける装置本体の感光ドラム６０は、現像ロール５０と回転自在に圧接するようになっている。
【００１８】
トナーシール１０は、ゴム状弾性体により成形されていて、軸心シール部１１と、本体シール部１２とが一体成形されている。
【００１９】
軸心シール部１１は、供給ロール４０の軸心４１の軸方向両端部において全周に亙ってシールするものであって、シールリップ１３を有し、シールリップ１３が軸心４１の周面に摺動自在に密接することでシールするようになっている。なお、シールリップ１３の枚数は特に規定されるものではなく、使用条件により適宜枚数が決定される。
【００２０】
本体シール部１２は、現像ロール５０の軸方向両端部において周面５１の周方向一定範囲をシールするものであって、シールリップ１４を有し、シールリップ１４が現像ロール５０の周面５１を摺動自在に密接することでシールするようになっている。なお、シールリップ１４の枚数は特に規定されるものではなく、使用条件により適宜枚数が決定される。
【００２１】
上記のように構成されたトナーシール１０は、軸心シール部１１と本体シール部１２が一体成形されているので部品点数が減少し、しかもゴム状弾性体により成形されているので両面テープ等で固定せずに嵌合により装着することができるので容易に装着することができ、装着作業性の改善が可能となる。なお、金属環を挿入し補強することで、装着作業性の向上をより一層図ることが可能となる。
【００２２】
また、トナーシール１０を装着するときの位置決めが、一体成形されていることにより供給ロール４０の軸心４１を基準に容易に行うことができるので、位置決めの安定性が向上し、品質のバラツキを低減することが可能となる。更に、トナーシール１０がゴム状弾性体で成形されているので、使用により位置ズレが生じ難く経時変化によるトナー漏れの発生を防止することが可能となる。
【００２３】
更に、図４に示すように、本体シール部１２のシールリップ１４をスパイラル状に形成したスパイラルシールリップ１６としてもよい。このようにスパイラルシールリップ１６とすることで、漏れ出ようとするトナーをトナー収容部３０に回収し易くすることが可能となる。
【図面の簡単な説明】
【００２４】
【図１】本発明に係るトナーシールが装着されているカートリッジの概略説            明図
【図２】図１におけるトナーシールの平面図
【図３】図２におけるＡ−Ａ方向の要部断面図
【図４】別の実施形態におけるトナーシールのＡ−Ａ方向の要部断面図
【図５】従来例のトナーシールが装着されているカートリッジの概略説明図
【符号の説明】
【００２５】
１０  トナーシール
１１，１２  シール部
１３，１４，１６  シールリップ
２０  カートリッジ
３０  トナー収容部
４０  供給ロール
４１  軸心
５０  現像ロール
５１  周面
６０  感光ドラム
【図１】
2008040061.tif 000003
【図２】
2008040061.tif 000004
【図３】
2008040061.tif 000005
【図４】
2008040061.tif 000006
【図５】
2008040061.tif 000007